(57)【要約】【課題】吊り下げ支持した輸液パックの振れを抑制できるようにして、輸液パックの取り扱いの容易化とバランス性能の向上を図ることのできる点滴スタンド、及び、輸液吊り下げ具を提供する。【解決手段】支柱部３の上端に取り付けられる輸液吊り下げ具４は、上下方向に沿って延出する支持壁３１を有する。輸液吊り下げ具４は、輸液パックＰを吊り下げる吊り下げ支持片３０が支持壁３１の外面３１ａに突設されている。支持壁３１の外面３１ａは、輸液パックＰの略扁平な面に当接して、吊り下げ支持片３０に吊り下げられた輸液パックＰの振れを規制する振れ規制部を構成する。【選択図】図３
2014233398.tif 000002
【特許請求の範囲】
【請求項１】
略扁平な被吊り下げ部を有する輸液パックを吊り下げ支持する輸液吊り下げ具が、上下方向に沿って延出する支柱部に取り付けられた点滴スタンドであって、
前記輸液吊り下げ具が、前記輸液パックの吊り下げ孔に挿入されて当該輸液パックを吊り下げる吊り下げ支持片と、前記輸液パックの被吊り下げ部に当接して、前記吊り下げ支持片に吊り下げられた前記輸液パックの振れを規制する振れ規制部と、を備えていることを特徴とする点滴スタンド。
【請求項２】
前記輸液吊り下げ具は、上下方向に沿って延出し前記吊り下げ支持片が突設される支持面を有し、前記振れ規制部が前記支持面によって構成されていることを特徴とする請求項１に記載の点滴スタンド。
【請求項３】
前記支持面は、前記支柱部の軸心回りに複数配置されていることを特徴とする請求項２に記載の点滴スタンド。
【請求項４】
前記支持面に突設される各吊り下げ支持片は、前記支柱部の軸心を中心とした同心円上に配置されていることを特徴とする請求項３に記載の点滴スタンド。
【請求項５】
前記支持面は、前記支柱部の軸心回りに配置される支持壁に設けられるとともに、前記支持壁の前記支柱部の位置される側と逆側の面によって構成されていることを特徴とする請求項３または４に記載の点滴スタンド。
【請求項６】
前記支持面は、前記支柱部の軸心回りに配置される支持壁に設けられるとともに、前記支持壁の前記支柱部の位置される側と同側の面によって構成されていることを特徴とする請求項３または４に記載の点滴スタンド。
【請求項７】
隣接する前記支持壁の端部が相互に連結され、若しくは、近接して配置されていることを特徴とする請求項５または６に記載の点滴スタンド。
【請求項８】
点滴スタンドの上下方向に沿って延出する支柱部に取り付けられ、略扁平な被吊り下げ部を有する輸液パックを吊り下げ支持する点滴スタンド用の輸液吊り下げ具であって、
前記輸液パックの吊り下げ孔に挿入されて当該輸液パックを吊り下げる吊り下げ支持片と、前記輸液パックの被吊り下げ部に当接して、前記吊り下げ支持片に吊り下げられた前記輸液パックの振れを規制する振れ規制部と、を備えていることを特徴とする点滴スタンド用の輸液吊り下げ具。
【発明の詳細な説明】
【技術分野】
【０００１】
この発明は、病院、介護施設、自宅等において患者に点滴を行う際等に用いられる点滴スタンド、及び、点滴スタンド用の輸液吊り下げ具に関するものである。
【背景技術】
【０００２】
病院や介護施設、自宅等での患者に対する治療活動として点滴を打つケースが多く見られる。点滴は、輸液パックを患者よりも高い位置に配置し、重力を利用して輸液パック内の輸液を患者の体内に送るという仕組みであるため、輸液パックを患者の上方に支持しておく点滴スタンドを用いるのが一般的である。
【０００３】
こうした点滴スタンドの基本構成としては、床面上に載置される脚部に、上下方向に沿って延出する支柱部が取り付けられ、その支柱部の上端部に輸液吊り下げ具が取り付けられているのが一般的である（例えば、特許文献１〜３参照）。
特許文献１〜３に記載の点滴スタンドは、輸液吊り下げ具が、支柱部の上端から略水平方向に延出する一対のアーム部と、各アーム部の先端部に設けられて輸液パックを直接吊り下げるためのフック部と、を備えた構成とされている。また、これらの点滴スタンドは、いずれも患者や看護師等が必要に応じてスタンドを自由に移動できるように脚部にキャスタが設けられている。
なお、輸液パックは、通常、樹脂製のシート部材を熱溶着して略扁平な袋体として構成され、点滴時に上方側となる上縁部の略中央に、フック部が挿入される吊り下げ孔が設けられている。
【先行技術文献】
【特許文献】
【０００４】
【特許文献１】特開２０１２−０１０７１８号公報
【特許文献２】特開２０１３−０１７６５３号公報
【特許文献３】特許第３４６６１８０号公報
【発明の概要】
【発明が解決しようとする課題】
【０００５】
しかしながら、特許文献１〜３に記載の点滴スタンドは、輸液パックの吊り下げ孔にフック部を挿入して、輸液パックをフック部に吊り下げ支持する構造とされているため、輸液パックをフック部に吊り下げて実際に点滴を行う場合に、輸液パックがフック部を中心として様々な方向を向いてしまい、点滴中に看護師や患者が輸液パックの表面表示や内部の輸液の状態を視認する際の妨げになることがあった。
また、特許文献１〜３に記載の点滴スタンドは、輸液パックをフック部のみによって吊り下げ支持する構造であることから、移動の際等に輸液パックが大きく振れ、スタンド全体のバランスを保つことが難しくなる状況が考えられる。
【０００６】
そこでこの発明は、吊り下げ支持した輸液パックの振れを抑制できるようにして、輸液パックの取り扱いの容易化とバランス性能の向上を図ることのできる点滴スタンド、及び、点滴スタンド用の輸液吊り下げ具を提供しようとするものである。
【課題を解決するための手段】
【０００７】
この発明では、上記課題を解決するために以下の構成を採用した。
この発明に係る点滴スタンドは、略扁平な被吊り下げ部を有する輸液パックを吊り下げ支持する輸液吊り下げ具が、上下方向に沿って延出する支柱部に取り付けられた点滴スタンドであって、前記輸液吊り下げ具が、前記輸液パックの吊り下げ孔に挿入されて当該輸液パックを吊り下げる吊り下げ支持片と、前記輸液パックの被吊り下げ部に当接して、前記吊り下げ支持片に吊り下げられた前記輸液パックの振れを規制する振れ規制部と、を備えていることを特徴とするものである。
これにより、輸液パックの被吊り下げ部が振れ規制部に当接することによって、吊り下げ支持片に吊り下げられた輸液パックの振れが規制されるようになる。また、輸液パックを吊り下げ支持片に取り付ける場合には、輸液パックの被吊り下げ部を振れ規制部で案内しつつ、輸液パックの吊り下げ孔に吊り下げ支持片を挿入することが可能になる。
【０００８】
前記輸液吊り下げ具は、上下方向に沿って延出し前記吊り下げ支持片が突設される支持面を有し、前記振れ規制部が前記支持面によって構成されるようにしても良い。
【０００９】
前記支持面は、前記支柱部の軸心回りに複数配置されるようにしても良い。この場合、各支持面に突設された吊り下げ支持片に輸液パックを取り付けたときに、隣接する輸液パック同士の干渉を招くことなく、各輸液パックを支柱部の軸心に近づけることが可能になる。この結果、各輸液パックの重心位置が支柱部の軸心に近接することから、点滴スタンドのバランスが良好になる。
【００１０】
前記支持面に突設される吊り下げ支持片は、前記支柱部の軸心を中心とした同心円上に配置されることがより好ましい。この場合、すべての吊り下げ支持片に輸液パックを取り付けた状態での点滴スタンドのバランスが良好になる。
【００１１】
前記支持面は、前記支柱部の軸心回りに配置される支持壁に設けられるとともに、前記支持壁の前記支柱部の位置される側と逆側の面によって構成されるようにしても良い。この場合、吊り下げ支持片が支持壁の外側に配置されることになるため、吊り下げ支持片に輸液パックを取り付ける際の作業性が良好になり、さらに、吊り下げ支持片に輸液パックを取り付けた後には、輸液パックを外部から容易に視認することが可能になる。
【００１２】
また、前記支持面は、前記支柱部の軸心回りに配置される支持壁に設けられるとともに、前記支持壁の前記支柱部の位置される側と同側の面によって構成されるようにしても良い。この場合、吊り下げ支持片が支持壁の外側に突出しないため、点滴スタンドの移動時等に、吊り下げ支持片がカーテンやブラインド、ケーブル等の周囲の物品に引っ掛かりにくくなる。
【００１３】
また、隣接する支持壁の端部は相互に連結され、若しくは、近接して配置されることが望ましい。この場合、各支持壁の端部が単独で外部に突出しなくなるため、点滴スタンドの移動時等に、支持壁の端部がカーテンやブラインド、ケーブル等の周囲の物品に引っ掛かりにくくなる。
【００１４】
この発明に係る点滴スタンド用の輸液吊り下げ具は、点滴スタンドの上下方向に沿って延出する支柱部に取り付けられ、略扁平な被吊り下げ部を有する輸液パックを吊り下げ支持する点滴スタンド用の輸液吊り下げ具であって、前記輸液パックの吊り下げ孔に挿入されて当該輸液パックを吊り下げる吊り下げ支持片と、前記輸液パックの被吊り下げ部に当接して、前記吊り下げ支持片に吊り下げられた前記輸液パックの振れを規制する振れ規制部と、を備えていることを特徴とするものである。
【発明の効果】
【００１５】
この発明によれば、吊り下げ支持片に吊り下げられた輸液パックの振れが、輸液吊り下げ具の振れ規制部によって抑制されることから、輸液パックの取り扱いを容易化することができるとともに、点滴スタンドがアンバランスな状態になるのを防止することができる。
【図面の簡単な説明】
【００１６】
【図１】この発明の一実施形態の点滴スタンドの斜視図である。
【図２】この発明の一実施形態の点滴スタンドの斜視図である。
【図３】この発明の一実施形態の点滴スタンドの一部の斜視図である。
【図４】この発明の一実施形態の点滴スタンドの上面図である。
【図５】この発明の一実施形態の点滴スタンドの図４のＡ−Ａ断面に対応する断面図である。
【図６】この発明の一実施形態の点滴スタンドの第１の変形例を示す上面図である。
【図７】この発明の一実施形態の点滴スタンドの第２の変形例を示す上面図（ａ）と第３の変形例を示す上面図（ｂ）を併せて記載した図である。
【図８】この発明の一実施形態の点滴スタンドの第４の変形例を示す上面図である。
【図９】この発明の一実施形態の点滴スタンドの第５の変形例を示す上面図である。
【図１０】この発明の一実施形態の点滴スタンドの第６の変形例を示す上面図（ａ）と第７の変形例を示す上面図（ｂ）を併せて記載した図である。
【図１１】この発明の一実施形態の点滴スタンドの第８の変形例を示す上面図である。
【図１２】この発明の一実施形態の点滴スタンドの第９の変形例を示す上面図である。
【図１３】この発明の一実施形態の点滴スタンドの第１０の変形例を示す上面図（ａ）と第１１の変形例を示す上面図である。
【図１４】この発明の別の実施形態の点滴スタンドの一部の斜視図である。
【発明を実施するための形態】
【００１７】
以下、この発明の実施形態を図面に基づいて説明する。
図１，図２は、この実施形態に係る点滴スタンド１の外観を示す斜視図であり、図３は、点滴スタンド１の上部を拡大して示した斜視図である。
点滴スタンド１は、病院や介護施設、自宅等の床面上に載置される脚部ブロック２と、脚部ブロック２に支持されて上下方向に沿って延出する支柱部３と、支柱部３の上端部に取り付けられ、輸液パックＰを吊り下げ支持する輸液吊り下げ具４と、を備えている。
図３には、輸液パックＰの一例が示されている。この例の輸液パックＰは、略矩形状の一対の外装シート５，５の左右の側縁部同士が、中央に折り曲げ部を有するガゼットシート６を介して接合され、一対の外装シート５，５の上縁部同士と下縁部同士が相互に重ねられて接合されている。外装シート５，５の上縁部同士の接合部である上シール部８ａの幅方向の略中央には横方向に長い長孔状の吊り下げ孔７が設けられ、外装シート５，５の下縁部同士の接合部である下シール部８ｂには、図示しない点滴チューブを接続するための注出筒９が接続されている。この例の輸液パックＰにおいては、外装シート５の外面が略扁平面とされ、外装シート５が被吊り下げ部とされている。外装シート５の外面には、輸液残量表示や輸液識別表示等が適宜印刷されている。
【００１８】
脚部ブロック２は、支柱部３の下端を保持するボス部１０の外周側に５本の脚フレーム１１が放射状に延設され、各脚フレーム１１の延出端にキャスタ１２が取り付けられている。したがって、この実施形態の脚部ブロック２は、キャスタ１２を介して床面上を移動可能にされている。なお、この実施形態の場合、実際にはボス部１０や脚フレーム１１の上方側が樹脂製のカバー部材１３によって覆われているが、図１，図２においては、図示都合上、カバー部材１３上のボス部１０や脚フレーム１１に対応する箇所に符号１０，１１を付している。
【００１９】
この実施形態の場合、支柱部３は、下端が脚部ブロック２に取り付けられる中空状のアウタ支柱３Ａと、上端に輸液吊り下げ具４が取り付けられる中空状のインナ支柱３Ｂと、を備え、インナ支柱３Ｂの下部領域がアウタ支柱３Ａの上部に摺動自在に嵌入されている。支柱部３の内部には、アウタ支柱３Ａとインナ支柱３Ｂの相対位置を固定するための図示しないロック機構が装備され、そのロック機構を解除することにより、アウタ支柱３Ａとインナ支柱３Ｂの相対位置（支柱部３の伸縮長さ）を適宜調整できるようになっている。
【００２０】
インナ支柱３Ｂの上下方向の略中間部には、前記ロック機構を解除操作するための解除操作スリーブ１４が設置されている。この解除操作スリーブ１４は、インナ支柱３Ｂの内部においてロック機構のロック解除片に接続され、看護師等の操作者によって上方にスライド操作されたときにロック機構を解除し、下方に戻し操作されたときにロック機構を再度ロック状態に維持するようになっている。
【００２１】
また、この実施形態では、アウタ支柱３Ａには、荷掛けフックアタッチメント１５と、ハンドルアタッチメント１６が昇降調整可能に取り付けられている。
荷掛けフックアタッチメント１５は、アウタ支柱３Ａの外周面に対して締結固定可能なボス部１７と、ボス部１７から相反方向に延出する一対のフック部１８，１８と、を備え、各フック部１８にウロバッグや手荷物１９等を適宜吊り下げ支持できるようになっている。
【００２２】
ハンドルアタッチメント１６は、円環状のハンドル本体２０と、ハンドル本体２０の下方に所定距離離間して配置される円板状のトレー２１と、トレー２１とハンドル本体２０を連結する一対の連結支柱２２，２２と、アウタ支柱３Ａの外周面に対して締結固定可能なボス部２４と、を備えている。トレー２１には、その中心部からオフセットした位置に、上下に貫通する挿通孔２３が設けられ、その挿通孔２３にアウタ支柱３Ａが挿通されるようになっている。また、ボス部２４は、トレー２１の下面の挿通孔２３と同軸となる位置に設けられている。この実施形態の場合、トレー２１は、ハンドル本体２０の内周面よりも一回り小さい円形形状に形成され、ハンドル本体２０に対して同心となるように配置されている。トレー２１とハンドル本体２０を連結する連結支柱２２は、トレー２１の外周側の上面とハンドル本体２０の内周側の下面を連結するように傾斜して配置されている。ハンドル本体２０とトレー２１の間には、連結支柱２２を介して、操作者がハンドル本体２０を把持するに充分な把持空間部２５が確保されている。
【００２３】
このハンドルアタッチメント１６は、ハンドル本体２０が、連結支柱２２とトレー２１とボス部２４を介してアウタ支柱３Ａの外周面に結合されている。このため、ハンドル本体２０を把持した操作者は、脚部ブロック２のキャスタ１２がロックされていなければ、点滴スタンド１を自由な方向に移動させることができる。
また、ハンドルアタッチメント１６のトレー２１上にはカップ等の物品２６を載置できるようになっている。ハンドル本体２０は、トレー２１との間に把持空間部２５が確保されているものの、トレー２１の上面からの高さが、カップ等の患者が日常一般に使用する物品２６の高さよりも低く設定され、トレー２１上に載置された物品２６の落下を規制するガイド壁としても機能するようになっている。そして、この実施形態の場合、アウタ支柱３Ａの突出するトレー２１上の挿通孔２３がトレー２１の中心からオフセットした位置に配置されているため、トレー２１上には、アウタ支柱３Ａと干渉することのない充分な物品配置スペースが確保されている。
【００２４】
図４は、点滴スタンド１の輸液吊り下げ具４部分の上面図であり、図５は、輸液吊り下げ具４部分の図４のＡ−Ａ断面に対応する断面図である。
これらの図にも示すように、輸液吊り下げ具４は、支柱部３のインナ支柱３Ｂの上端部に締結固定されるボス部２７と、支柱部３の軸心ｏ回りを取り囲むように上下方向に沿って立設された略方形筒状の周壁２８と、ボス部２７と周壁２８を連結する連結支柱２９と、周壁２８の下端寄りの外側面から外側（支柱部３の軸心ｏの位置される側と逆側）に突出する４つの吊り下げ支持片３０…と、を備えている。
【００２５】
周壁２８は、左右方向の両側の縁部が円弧状に丸みをおびた４つの支持壁３１…が方形状に配置され、隣接する支持壁３１，３１同士が相互に連結された形状とされている。この実施形態の場合、周壁２８全体が硬質の樹脂材料によって方形筒状に一体に形成されている。各支持壁３１の外面３１ａ（支柱部３の軸心ｏの位置される側と逆側の面）は幅方向の中央領域を中心としてほぼ平坦に形成されている。この実施形態の場合、各支持壁３１の外面３１ａが支持面を構成している。
【００２６】
連結支柱２９は、各支持壁３１の下縁の幅方向の中央位置とボス部２７の外面とを連結するように計４つ設けられている。吊り下げ支持片３０は、金属製の板材によって断面略Ｌ字状に形成され、Ｌ字の一辺を成す部分が対応する支持壁３１の下縁の幅方向の中央位置に取り付けられるとともに、Ｌ字の他辺を成す部分が上方に向かって延出している。吊り下げ支持片３０のＬ字の一辺を成す部分は、図５に示すように、その一部を残して先端部領域が対応する支持壁３１と連結支柱２９に挿し込まれ、その状態で対応する連結支柱２９に固定されている。吊り下げ支持片３０のＬ字の一辺を成す部分の付根部側の一部は、対応する支持壁３１の外面３１ａから外側に所定量突出し、その突出領域（以下、この部分を「付根部３０ａ」と呼ぶ。）に輸液パックＰが吊り下げ支持されるようになっている。
【００２７】
ここで、吊り下げ支持片３０のＬ字の他辺を成す部分を屈曲部３０ｂと呼ぶものとすると、輸液パックＰは、上シール部８ａの吊り下げ孔７を、対応する吊り下げ支持片３０の屈曲部３０ｂの先端に位置合わせし、吊り下げ孔７を屈曲部３０ｂから付根部３０ａにかけて潜らせて、最終的に付根部３０ａに吊り下げ支持される。
そして、こうして輸液パックＰが対応する吊り下げ支持片３０の付根部３０ａに吊り下げ支持されたとき、輸液パックＰの上シール部８ａの側面（外装シート５の一方の外面）が支持壁３１の外面３１ａ（支持面）と対向する。こうして、輸液パックＰの上シール部８ａの側面が支持壁３１の外面３１ａに対向するようになると、輸液パックＰの左右の捩れ方向の振れや前後方向の振れがあったときに、支持壁３１の外面３１ａが上シール部８ａの側面に当接し、それによって輸液パックＰの振れが抑制される。この実施形態においては、各支持壁３１の外面３１ａが輸液パックＰの振れを規制する振れ規制部を構成している。
【００２８】
また、この実施形態の場合、４つの支持壁３１は、支柱部３の軸心ｏ回りにほぼ一定間隔離間して配置されている。そして、各支持壁３１の幅方向の中央部に突設される吊り下げ支持片３０の付根部３０ａは、支柱部３の軸心ｏを中心とした同心円上に配置されている。
【００２９】
以上のようにこの実施形態に係る点滴スタンド１は、輸液吊り下げ具４の各支持壁３１の外面３１ａが、吊り下げ支持片３０に吊り下げられた輸液パックＰの略扁平な面（この実施形態の場合、上シール部８ａ）に当接し得るように設けられているため、吊り下げ支持片３０に吊り下げられた輸液パックＰの左右の捩れ方向の振れや前後方向の振れを支持壁３１の外面３１ａによって確実に抑制することができる。
そして、支持壁３１の外面３１ａによる輸液パックＰの振れ抑制効果は、輸液パックＰを吊り下げ支持片３０に吊り下げた後ばかりでなく、輸液パックＰを吊り下げ支持片３０に取り付ける際にも享受することができる。つまり、輸液パックＰを吊り下げ支持片３０に取り付ける際には、輸液パックＰの上シール部８ａ等の略扁平な面が支持壁３１の外面３１ａに当接することにより、輸液パックＰが最終時な取付位置に安定姿勢で早期に保持されるように輸液パックＰの振れが抑制される。
【００３０】
この実施形態の点滴スタンド１を採用した場合には、輸液パックＰを輸液吊り下げ具４に取り付けて点滴を行うときに、輸液パックＰの振れが生じにくく、仮に振れが生じてもその振れを早期に収束させることができる。点滴スタンド１の使用時には、輸液パックＰの振れが生じにくくなるため、看護師等の操作者は輸液パックＰの表面の表示や内部の輸液の様子を安定して目視確認することができる。
また、輸液パックＰを吊り下げたまま、点滴スタンド１をキャスタ１２を用いて移動させる場合等には、輸液パックＰの大きな振れが支持壁３１の外面３１ａによって抑制されるため、点滴スタンド１が移動中等にアンバランスになるのを未然に防止することができる。
【００３１】
また、この実施形態の点滴スタンド１は、輸液吊り下げ具４の上下方向に沿って延出する支持壁３１の外面３１ａに吊り下げ支持片３０が突設され、支持壁３１の略扁平な外面３１ａによって、吊り下げ支持片３０に吊り下げられた輸液パックＰの振れが規制されるようになっているため、輸液パックＰが変形し易い柔軟な材料によって形成されている場合であっても、大きな面積で輸液パックＰの振れを安定的に抑制することができる。
【００３２】
さらに、この実施形態の点滴スタンド１においては、吊り下げ支持片３０が突設される支持壁３１の外面３１ａが、支柱部３の軸心ｏの回りに複数（４面）設けられているため、複数の吊り下げ支持片３０に輸液パックＰを取り付けた場合に、隣接する輸液パックＰ同士の干渉を招くことなく、吊り下げ支持される輸液パックＰを支柱部３の軸心ｏに充分に近付けることができる。このため、各輸液パックＰの重心位置が支柱部３の軸心ｏに近接することから、点滴スタンド１の移動時等に点滴スタンド１がアンバランスになりにくくなる。
【００３３】
特に、この実施形態の場合、複数の支持壁３１の外面３１ａに突設される吊り下げ支持片３０の付根部３０ａが、支柱部３の軸心ｏを中心とした同心円上となるように配置されているため、すべての吊り下げ支持片３０に輸液パックＰを取り付けた状態における点滴スタンド１のバランスが良好になる。
【００３４】
また、この実施形態の点滴スタンド１は、吊り下げ支持片３０が輸液吊り下げ具４の各支持壁３１の外面３１ａ（支柱部３の位置される側と逆側の面）に突設されているため、吊り下げ支持片３０に輸液パックＰを取り付けるときに、支持壁３１が取付作業の支障にならず、輸液パックＰの取付作業性が良い。さらに、この点滴スタンド１は、吊り下げ支持片３０が輸液吊り下げ具４の各支持壁３１の外面３１ａに突設されているため、吊り下げ支持片３０に吊り下げられた輸液パックＰを点滴スタンド１の外側から視認するときには、その輸液パックＰが支持壁３１によって遮られることがなく、輸液パックＰの視認性も良好となる。
【００３５】
また、この実施形態の点滴スタンド１においては、輸液吊り下げ具４の隣接する支持壁３１の端部が相互に接続されて、個々の支持壁３１の端部が単独で外部に突出しない環状の周壁構造とされているため、点滴スタンド１を移動させる場合に、支持壁３１の端部がカーテンやブラインド、ケーブル等の周囲の物品に引っ掛かりにくいという利点がある。特に、この実施形態の場合、隣接する支持壁３１，３１の間が緩やかな円弧面によって接続されているため、周囲の物品の引っ掛かりをより有効に防止することができる。
【００３６】
ここで、上述した実施形態の輸液吊り下げ具４においては、吊り下げ支持片３０が突設される４つ支持壁３１が上面視で略方形状を成すように配置された一体の周壁構造とされているが、図６に示す第１の変形例のように、上面視が略直線状の３つの支持壁１３１が略三角形状を成すように配置される一体の周壁構造とし、各支持壁１３１の幅方向の中央部に吊り下げ支持片３０を突設するようにしても良い。この場合も、各支持壁１３１の外面１３１ａが輸液パックと当接する支持面となり、振れ規制部を構成している。なお、図１〜図５に示した基本となる実施形態と同一部分には同一符号を付して重複数の説明を省略するものとする。
【００３７】
図７〜図１３は、採用可能なその他の変形例を示す図である。以下、これらの各変形例について、基本となる実施形態との相違部分を列記する。なお、これらの変形例についても、図１〜図５に示した基本となる実施形態と同一部分には同一符号を付して重複数の説明を省略するものとする。
＜第２の変形例＞
図７（ａ）に示す第２の変形例は、吊り下げ支持片３０が突設される上面視で略円弧状の４つの支持壁２３１が相互に接続されて全体が円環状の周壁構造とされ、各支持壁２３１の外面２３１ａが輸液パックと当接する支持面となり、振れ規制部を構成している。
＜第３の変形例＞
図７（ｂ）に示す第３の変形例は、吊り下げ支持片３０が突設される上面視が略直線状の一対の支持壁３３１Ａと、吊り下げ支持片３０が突設される上面視が略半円状の一対の支持壁３３１Ｂが接続されて全体が略長円状の周壁構造とされている。各支持壁３３１Ａ，３３１Ｂの外面３３１Ａａ，３３１Ｂａは、輸液パックと当接する支持面となり、振れ規制部を構成している。
【００３８】
＜第４の変形例＞
図８に示す第４の変形例は、吊り下げ支持片３０が突設される上面視が略直線状の支持壁３１が方形状に配置され、隣接する支持壁３１同士が接続されずに近接させた状態で配置されている。各支持壁３１の外面３１ａは、輸液パックと当接する支持面となり、振れ規制部を構成している。
＜第５の変形例＞
図９に示す第５の変形例は、吊り下げ支持片３０が突設される上面視が略直線状の支持壁１３１が三角形状に配置され、隣接する支持壁１３１が相互に接続されずに近接させた状態で配置されている。各支持壁１３１の外面１３１ａは、輸液パックと当接する支持面となり、振れ規制部を構成している。
＜第６の変形例＞
図１０（ａ）に示す第６の変形例は、吊り下げ支持片３０が突設される上面視が略円弧状の支持壁２３１が円環状に配置され、隣接する支持壁２３１が相互に接続されずに近接させた状態で配置されている。各支持壁２３１の外面２３１ａは、輸液パックと当接する支持面となり、振れ規制部を構成している。
＜第７の変形例＞
図１０（ｂ）に示す第７の変形例は、吊り下げ支持片３０が突設される上面視が略直線状の一対の支持壁３３１Ａと、上面視が略半円状の一対の支持壁３３１Ｂが略長円状に配置され、隣接する支持壁３３１Ａと支持壁３３１Ｂが相互に接続されずに近接させた状態で配置されている。各支持壁３３１Ａ，３３１Ｂの外面３３１Ａａ，３３１Ｂａは、輸液パックと当接する支持面となり、振れ規制部を構成している。
＜第８の変形例＞
図１１に示す第８の変形例は、吊り下げ支持片３０が突設される上面視が略直線状の一対の支持壁４３１が支柱部３の軸線ｏを挟んで相互に対向するように平行に配置されてる。各支持壁４３１の外面４３１ａは、輸液パックと当接する支持面となり、振れ規制部を構成している。
＜第９の変形例＞
図１２に示す第９の変形例は、上面視が略コ字状の一対の支持壁５３１が開口側が相互に対向するようにして配置され、各支持壁５３１の中央領域の外面５３１ａに吊り下げ支持片３０が突設されるとともに、隣接する支持壁５３１が相互に接続されずに近接させた状態で配置されている。この変形例の場合、各支持壁５３１の中央領域の外面５３１ａは、輸液パックと当接する支持面となり、振れ規制部を構成している。
＜第１０の変形例＞
図１３（ａ）に示す第１０の変形例は、上面視が略半円状の一対の支持壁６３１が開口側が相互に対向するようにして配置され、各支持壁６３１の中央領域の外面６３１ａに吊り下げ支持片３０が突設されるとともに、隣接する支持壁６３１が相互に接続されずに近接させた状態で配置されている。この変形例の場合、各支持壁６３１の中央領域の外面６３１ａは、輸液パックと当接する支持面となり、振れ規制部を構成している。
＜第１１の変形例＞
図１３（ｂ）に示す第１１の変形例は、直線部の両端に緩やかな円弧部が連設された上面視形状の一対の支持壁７３１が開口側が相互に対向するようにして配置され、各支持壁７３１の中央領域の外面７３１ａに吊り下げ支持片３０が突設されるとともに、隣接する支持壁７３１が相互に接続されずに近接させた状態で配置されている。この変形例の場合、各支持壁７３１の中央領域の外面７３１ａは、輸液パックと当接する支持面となり、振れ規制部を構成している。
【００３９】
図１４は、この発明の別の実施形態の点滴スタンド８０１の上部を拡大して示した斜視図である。以下、図１４に示す別の実施形態について説明するが、図１〜図５に示した実施形態と同一部分には同一符号を付して重複数の説明を省略するものとする。
この実施形態の点滴スタンド８０１は、輸液吊り下げ具８０４の構成が上述した実施形態のものと異なっている。輸液吊り下げ具８０４は、上述した実施形態と同様に、支柱部３のインナ支柱３Ｂの上端部に締結固定されるボス部２７と、支柱部３の軸心ｏ回りを取り囲むように上下方向に沿って立設された略方形筒状の周壁２８と、ボス部２７と周壁２８を連結する連結支柱２９と、周壁２８の４つの支持壁３１に突設されて輸液パックを吊り下げ支持する吊り下げ支持片３０と、を備えているが、吊り下げ支持片３０が各支持壁３１の内面３１ｂ（支柱部３の軸心ｏの位置される側と同側の面）に突設されている点が異なっている。
この実施形態の場合、吊り下げ支持片３０は、各支持壁３１の内面３１ｂの幅方向の中央部に突設され、各支持壁３１の内面３１ｂは、吊り下げ支持片３０に吊り下げられた輸液パックの扁平な面（例えば、上シート部）に対して当接可能となっている。この実施形態の場合、支持壁３１の内面３１ｂは、輸液パックと当接する支持面となり、振れ規制部を構成している。
【００４０】
この実施形態の点滴スタンド８０１の場合、吊り下げ支持片３０が各支持壁３１の内面３１ｂ側に突設されている点以外の構成は上述した実施形態と同様の構成であるため、上述した実施形態とほぼ同様の効果を得ることができる。ただし、この実施形態の点滴スタンド８０１は、吊り下げ支持片３０が各支持壁３１の内面３１ｂ側に突設されているため、吊り下げ支持片３０が各支持壁３１よりも外側に突出することがなく、点滴スタンド８０１を移動させる場合にも、吊り下げ支持片がカーテンやブラインド、ケーブル等の周囲の物品に引っ掛かるのを未然に防止することができる。
この実施形態の場合にも、図６〜図１３に示すような支持壁の形状や配置の異なる変形例を採用することができる。
【００４１】
なお、この発明は上記の実施形態に限定されるものではなく、その要旨を逸脱しない範囲で種々の設計変更が可能である。例えば、上記の各実施形態においては、吊り下げ支持片が突設される各支持壁の間に空間部が設けられているが、支柱部の軸心から外周側に広がる中実の一体ブロックの外周面を支持面とし、その支持面に吊り下げ支持片を取り付けるようにしても良い。また、上記の各実施形態では、略Ｌ字状の吊り下げ支持片を採用しているが、吊り下げ支持片は、輸液パックを吊り下げ支持できる形状であれば、必ずしもＬ字状である必要はなく、直線状やその他の形状であっても良い。
また、上記の実施形態においては、輸液パックの振れを規制する規制部の一形態として面を採用しているが、規制部は、面に限らず、例えば、略水平方向に延出するワイヤー部材（線状部材）等によって構成することも可能である。
【符号の説明】
【００４２】
１  点滴スタンド
３  支柱部
４  輸液吊り下げ具
５  外装シート（被吊り下げ部）
７  吊り下げ孔
３０  吊り下げ支持片
３１  支持壁
３１ａ  外面（支持面，振れ規制部）
３１ｂ  内面（支持面，振れ規制部）
ｏ  軸心
Ｐ  輸液パック
１３１  支持壁
１３１ａ  外面（支持面，振れ規制部）
２３１  支持壁
２３１ａ  外面（支持面，振れ規制部）
３３１Ａ，３３１Ｂ  支持壁
３３１Ａａ，３３１Ｂａ  外面（支持面，振れ規制部）
４３１  支持壁
４３１ａ  外面（支持面，振れ規制部）
５３１  支持壁
５３１ａ  外面（支持面，振れ規制部）
６３１  支持壁
６３１ａ  外面（支持面，振れ規制部）
７３１  支持壁
７３１ａ  外面（支持面，振れ規制部）
８０１  点滴スタンド
８０４  輸液吊り下げ具
【図１】
2014233398.tif 000003
【図２】
2014233398.tif 000004
【図３】
2014233398.tif 000005
【図４】
2014233398.tif 000006
【図５】
2014233398.tif 000007
【図６】
2014233398.tif 000008
【図７】
2014233398.tif 000009
【図８】
2014233398.tif 000010
【図９】
2014233398.tif 000011
【図１０】
2014233398.tif 000012
【図１１】
2014233398.tif 000013
【図１２】
2014233398.tif 000014
【図１３】
2014233398.tif 000015
【図１４】
2014233398.tif 000016